(57)【要約】【課題】スズメバチの捕捉殺蜂具の形状・構造を、作られた巣の場所・状態によく合わせて安全確実に捕捉、殺蜂することができる捕捉殺蜂具を提供する。【解決手段】複数段にスライド伸縮するロッド１１と、先段のロッド１１ａの先端に設けられた殺虫剤噴霧のノズル１３と、この先段のロッド１１ａと二段目ロッド１１ｂ間のスライドをロックするロックナット１２の両側に固定されＵ字状に延びる支持線１９と、この支持線１９の先端に固着した板材を断面Ｕ字状に形成したブラケット２１と、このブラケット２１の対向面間に渡し設けたピン２３と、このピン２３に揺動可能に装填したトーションスプリング２２と、このトーションスプリング２２の各端部から延長してＵ字状に湾曲させたバタフライ状の枠体２４と、このバタフライ状の枠体２４に巡らせて取付けた捕捉網２５とからなり、上記バタフライ状の枠体の開き角を、１２０〜３３０度の範囲で自在に変化可能で、上記バタフライ状の枠体２４の大きさを変えている。【選択図】図１
2007175001.tif 000002
【特許請求の範囲】
【請求項１】
複数段にスライド伸縮するロッド（１１）と、先段のロッド（１１ａ）の先端に設けられた殺虫剤噴霧のノズル（１３）と、この先段のロッド（１１ａ）と二段目のロッド（１１ｂ）間のスライドをロックするロック部材（１２）の両側に固定されＵ字状に延びる支持線（１９）と、この支持線（１９）の先端に固着した板材を断面Ｕ字状に形成したブラケット（２１）と、このブラケット（２１）の対向面間に渡し設けたピン（２３）と、このピン（２３）に揺動可能に装填したトーションスプリング（２２）と、このトーションスプリング（２２）の各端部から延長してＵ字状に湾曲させたバタフライ状の枠体（２４）と、このバタフライ状の枠体（２４）に巡らせて取付けた捕捉網（２５）とからなる捕捉殺蜂具。
【請求項２】
上記バタフライ状の枠体（２４）の開き角を、１２０から３３０度の範囲で自在に変化できるようにした請求項１に記載の捕捉殺蜂具。
【請求項３】
上記バタフライ状の枠体（２４）の揺動軸（２３）から端までの寸法比を１：１〜１：１．３としてなる請求項１または２に記載の捕捉殺蜂具。
【発明の詳細な説明】
【技術分野】
【０００１】
この発明は、蜂および蜂の巣を捕捉し殺蜂する治具に関する。
【背景技術】
【０００２】
蜂とりわけスズメバチは、集団で人を襲い、ときには人命に係わる事故が発生し、その対策として保健所などでスズメバチの巣を捕捉・殺蜂する活動も展開されており、この蜂の巣を捕捉・殺蜂するための治具として特許文献１および２に示すものがある。
【０００３】
【特許文献１】特開平１０−２７６６５３号公報（要約および選択図面）
【０００４】
【特許文献２】特開２００４−２２２６９６号公報（要約および選択図面）
【発明の開示】
【発明が解決しようとする課題】
【０００５】
上記特許文献１は、外筒の中に嵌められた内筒がスライド伸縮可能になり、そのロッドの先端に殺虫剤を噴霧するノズルを設けたものであり、特許文献２は、ロッドの先端に拡縮可能の骨組みを設け、この骨組みに捕捉網を取付けたもので、離れたところから蜂の巣を捕捉、または殺蜂しようとするものである。
【０００６】
上記特許文献１では、殺虫剤を噴霧する前にスズメバチの攻撃を受ける恐れがあり、噴霧したとしても全体が開放されているので、殺虫剤の噴霧から逃れたスズメバチがおそってくる可能性が十分にある。
【０００７】
また、特許文献２は、拡・縮可能の骨組みは、遠心的・求心的に拡縮するものである。実際、スズメバチが営巣する場所は図６に示すように軒下のスミ部、さらに詳しくは軒裏と壁が突き合うコーナーであるから、特許文献２のものでは軒下のスミ部に沿うように拡縮しないので蜂の巣を安全、確実に捕捉できるものとはいえない。
【０００８】
さらにまた、上記先行技術では蜂の巣を捕捉することと、殺虫剤の噴霧ノズルを蜂の巣に刺し込み殺蜂することとを、それぞれ別個に行わねばならず、上記操作を同時に行うには二人での作業になる。
【０００９】
上記状況に鑑みこの発明は、スズメバチを捕捉する網と枠体の形状・構造を、スズメバチが営巣する場所・形態によく沿うようにしたもので、安全確実に捕捉、殺蜂することができ、上記捕捉、殺蜂操作を一人で行い得る捕捉殺蜂具を提供することを課題とする。
【課題を解決するための手段】
【００１０】
上記課題を解決するためにこの発明は、複数段にスライド伸縮するロッド１１と、先段のロッド１１ａの先端に設けられた殺虫剤噴霧のノズル１３と、この先段のロッド１１ａと二段目ロッド１１ｂ間のスライドをロックするロックナット１２ａの両側に固定されＵ字状に延びる支持線１９と、この支持線１９の先端に固着した板材を断面Ｕ字状に形成したブラケット２１と、このブラケット２１の対向面間に渡し設けたピン２３と、このピン２３に揺動可能に装填したトーションスプリング２２と、このトーションスプリング２２の各端部から延長してＵ字状に湾曲させたバタフライ状の枠体２４と、このバタフライ状の枠体２４に巡らせて取付けた捕捉網２５とからなり、上記バタフライ状の枠体２４の開き角を、１２０から３３０度の範囲で自在に変化可能で、上記バタフライ状の枠体２４の揺動軸から端までの寸法比を１：１〜１：１．３としたものである。
【発明の効果】
【００１１】
上記の如く構成するこの発明によれば、捕捉網を取付けた枠体が支持線の先端に設けたブラケットにトーションスプリングを介して揺動可能に取付けられているので、スズメバチの営巣の状態・形態によく沿うことができ、蜂の巣を安全・確実に覆うことができ、その状態で殺虫剤噴霧のノズルを突き刺して殺虫剤を噴霧するので安全・確実に蜂の巣を捕捉・殺蜂することができ、上記捕捉、殺蜂操作を一人で行うことができる。
【発明を実施するための最良の形態】
【００１２】
次にこの発明の実施の形態を、図１〜４を参照しながら説明する。先段、中段、下段の三段（三段に限るものではない）のロッド１１ａ、１１ｂ，１１ｃは、それぞれパイプ状で微小ギャップをあけ、差し込まれてスライド（伸縮）可能になり、各段のパイプの上端に軸方向の割り２６が入り、この割り２６の部分に対して内面テーパーＴのロックナット１２（ロックカラーでもよい）が嵌められて任意の位置でスライド状態をロックできるようになっている。
【００１３】
先段のロッド１１ａの先端には殺虫剤噴霧のノズル１３が取付けられ、殺虫剤供給用チューブ１４は各段のロッド１１ｃ，１１ｂ，１１ａに沿って延び、下段ロッド１１ｃのグリップ部１５に取付けた殺虫剤のボンベ１６に繋がっている。なおロッド１１ｂ，１１ｃにはチューブ１４の案内リング１７が設けられ（ロッド１１ａにも案内リング１７を設けることができる）下段のロッド１１ｃの手元部分には殺虫剤のボンベ１６のホルダ１８が設けられている。
【００１４】
上記中段ロッド１１ｂのロックナット１２ｂには支持線１９を保持する部材（支持線の保持部材２０）が固着され、この支持線の保持部材２０の両側に、両方合わせてＵ字状に湾曲させた支持線１９が取付けられ、この支持線１９が上方に延びた先端は互いに向き合うように９０度曲げられ、この部分に板材をＵ字状に折り曲げたブラケット２１が一体に取付けられている。
【００１５】
なお、上記支持線１９を９０度折り曲げた部分は、トーションスプリング２２を揺動状態で支持するピン２３となる。ここで、トーションスプリング２２を揺動状態で支持するのは、蜂の巣に対して作業者が立つ位置が近いときは、ロッド１１は垂直に近くなり、遠いときはロッド１１が斜めになることを考慮したものである。
【００１６】
上記トーションスプリング２２は、開放状態で両端から延びるバネ線２２ｗのなす角度θがほぼ１２０度になり、トーションスプリング２２が絞られて上記バネ線２２ｗのなす角度θ’が最大３３０度になるようバネ線の太さと巻回し数を選定する。要するにバタフライ状の枠体２４の開き角が、最も窄んだ状態で１２０度、最も開いた状態で３３０度になり、この範囲でスムースに操作できるトーションスプリング２２の強さにする。
【００１７】
上記板材をＵ字状に折り曲げたブラケット２１の懐内にはトーションスプリング２２が装填され、上記ピン２３（支持線を９０度折り曲げた部分）により揺動状態で支持され、このように支持されたトーションスプリング２２の各先端には、パイプ材をＵ字状に湾曲させたバタフライ状の枠体２４の端が被嵌・固定され、このバタフライ状の枠体２４の周りに袋状の捕捉網２５が巡るように取付けられる。なお、ここでパイプ材をＵ字状に湾曲させたバタフライ状の枠体２４に代えてバネ線２２ｗを延長して枠体を形成してもよい。
【００１８】
トーションスプリング２２の各先端に被嵌・固定された上記バタフライ状の枠体２４は、左右同じ大きさでもよいが、蜂の巣が作られる場所が軒下の角部分に上下均等に作られるとは限らず、多くは角部分からどちらかに偏っている。このことを考慮してバタフライ状の枠体２４の片方を大きくし他方を小さくしている。
【００１９】
上記の如く形成した枠体には蜂が通り抜けない編み目２〜１０メッシュの袋状の捕捉網２５がバタフライ状の枠体２４を巡るように取付けられる。なお、支持線１９，バタフライ状の枠体２４、捕捉網２５は捕捉対象の蜂の巣の大きさに応じ寸法の違うものが用意され、図４、図５で分かるように中段のロックナット１２ａに保持部材２０を差し替え、ビスネジ２７で固定するだけで大小寸法の異なる捕捉網２５を取り替えることができるようになっている。
【００２０】
次にこの実施例に係る捕捉殺蜂具１０の使用について図１，４，６を参照しながら説明する。図１のように、ロッド１１ｃの基部に設けたホルダ１８に殺虫剤のボンベ１６をセットし、ボンベ１６の薬剤吐出口にチューブ１４を繋ぐ。次に、図４のようにスズメバチの巣の位置・大きさを黙視で確認(図６参照）し、中段のロックナット１２ｂを緩めて殺虫剤噴霧のノズル１３が蜂の巣に突き刺さる程度に先段のロッド１１ａを引き出しロックナット１２ａを締めて固定し、下段のロックナット１２ｂを操作して捕捉網２５が蜂の巣に届くよう調整する。
【００２１】
最後にロッド１１のグリップ部１５を握り、軒下に作られている蜂の巣２９に向けてバタフライ状の枠体２４と共に捕捉網２５を押し当てて蜂が逃げられない状態にし、ノズル１３を蜂の巣に向けて突き刺し殺虫剤のボンベ１６から薬液を送り噴霧する。
【００２２】
ここで、蜂の巣２９が軒裏に多く伸びているときはバタフライ状の枠体２４の大きい方を上側にし、壁面に多く伸びているときはバタフライ状の枠体２４の大きい方を下側にする。こうすることにより軒下に作られている蜂の巣２９の状態に合わせて確実に捕捉できる。
【産業上の利用可能性】
【００２３】
以上説明したようにこの発明によれば、スズメバチの営巣場所および状態に合わせて蜂の巣を覆うことができ、その状態でノズルを突き刺して殺虫剤を噴霧することができ、このことにより、蜂の巣の捕捉と殺蜂作業が一人で同時に行うことができるようになり、スズメバチ等が繁殖する時期に保健所など管轄する役所で好適に使用できるものである。
【図面の簡単な説明】
【００２４】
【図１】本発明に係る捕捉殺蜂具の斜視図
【図２】同（ａ）支持線、保持部材、枠体の取付け関係の平面図、（ｂ）枠体の拡がり具合の説明図
【図３】同トーションスプリングをブラケットに装填した状態の一部切り欠き斜視図
【図４】同ロットとロックナットと保持部材の構造図
【図５】同ロックナットと保持部材との組合せ説明図
【図６】（ａ）（ｂ）本発明に係る捕捉殺蜂具の使用状態説明図
【符号の説明】
【００２５】
１０  捕捉殺蜂具
１１  ロッド
１１ａ，１１ｂ，１１ｃ  先・中・下段のロッド
１２  ロックナット
１２ａ，１２ｂ  中段・下段のロックナット
１３  ノズル
１４  チューブ
１５  グリップ部
１６  ボンベ
１７  案内リング
１８  ホルダ
１９  支持線
２０  保持部材
２１  ブラケット
２２  トーションスプリング
２２ｗ  バネ線
２３  ピン
２４  枠体
２５  捕捉網
２６  割り
２７  ビスネジ
２８  フランジ
２９  蜂の巣
Ｔ  テーパー
【図１】
2007175001.tif 000003
【図２】
2007175001.tif 000004
【図３】
2007175001.tif 000005
【図４】
2007175001.tif 000006
【図５】
2007175001.tif 000007
【図６】
2007175001.tif 000008